(57)【要約】
　【課題】　夜間、停電が発生したときに、懐中電灯を探すことなく、必要な明かりが確保できるようにすると共に、装着が容易で、日常生活の邪魔になったり、美観を損ねたりすることがない非常灯取付コネクタ付き蛍光灯を提供する。
　【解決手段】　商用電源により点灯される蛍光管２と、蛍光管２を点灯させる点灯回路ユニット１とからなる蛍光灯１０に、非常灯取付コネクタ１６を設ける。この非常灯取付コネクタ１６に、非常灯ユニット２０を装着する。非常灯ユニット２０は、停電の発生を検出し、停電が発生したときに非常用の照明灯を点灯させる。蛍光灯１０は、部屋の真ん中に、天井から吊り下げられており、非常灯ユニット２０が蛍光灯１０の内部に取り付けられていると、停電発生時にも、部屋全体を効率的に照らすことができる。
【選択図】　　　　図１
0003099667.tif 000002
【実用新案登録請求の範囲】
【請求項１】
商用電源により点灯される蛍光管と、
　前記蛍光管を点灯させる点灯回路と、
　停電の発生を検出し、前記停電が発生したときに非常用の照明灯を点灯させる非常灯ユニットが着脱自在に装着される非常灯取付コネクタと
　を備えるようにしたことを特徴とする非常灯取付コネクタ付き蛍光灯。
【請求項２】
前記点灯回路は、安定器により前記蛍光管を点灯させるようにしたことを特徴とする請求項１に記載の非常灯取付コネクタ付き蛍光灯。
【請求項３】
前記点灯回路は、インバータ型の点灯器により前記蛍光管を点灯させるようにしたことを特徴とする請求項１に記載の非常灯取付コネクタ付き蛍光灯。
【請求項４】
前記非常灯ユニットは、
　バッテリと、
　前記バッテリにより点灯される非常用の照明灯と、
　蛍光灯の非常灯取付コネクタに接続されるプラグと、
　前記非常灯取付コネクタから前記プラグを介して入力される商用電源から停電の発生を検出する手段と、
　前記停電の発生が検出されたときに前記非常用の照明灯を点灯させる手段と
　を有するようにしたことを特徴とする請求項１に記載の非常灯取付コネクタ付き蛍光灯。
【考案の詳細な説明】
【技術分野】
【０００１】
　本考案は、落雷や地震等による不意な停電が発生しても、防災の点から必要な明かりが確保できるようにした非常灯取付コネクタ付き蛍光灯に関する。
【背景技術】
【０００２】
　夜間、落雷や地震等による不意な停電に襲われると、部屋中の照明が一斉に消え、何も見えなくなってしまう。そこで、不意な停電に備えて、懐中電灯を用意している家庭は多い。しかしながら、懐中電灯は普段使われないため、殆どの家庭では、棚の奥や引き出しの中に懐中電灯が格納されている。このため、暗がりの中で、懐中電灯がなかなか見つからず、苦労する場合が多い。
【０００３】
　また、たとえば、特許文献１に示されるように、家庭用コンセントに差し込んで使用する蛍光灯式誘導灯が提案されている。特許文献１で示される例では、普段、家庭用コンセントに誘導灯を差し込んでおき、停電が発生すると、この誘導灯が点灯する。このため、停電が発生しても、最小限の明かりが確保でき、暗がりの中で懐中電灯を探す必要がなくなる。また、コンセントから取り外しても点灯し続けるので、懐中電灯として使用することもできる。
【特許文献１】登録実用新案第３０２３２２１号公報
【考案の開示】
【考案が解決しようとする課題】
【０００４】
　しかしながら、特許文献１に示される蛍光灯式誘導灯では、誘導灯が家庭用のコンセントに差し込まれる。家庭用のコンセントは、通常、壁の下方部に配置されているため、壁の下のコンセントに差し込まれた誘導灯が点灯しても、部屋全体を照らすような十分な明るさを確保できない。また、家庭用のコンセントに誘導灯が差し込まれていると、部屋の美観を損なうと共に、日常生活の邪魔になる。
【０００５】
　また、ビルのオフィスの蛍光灯の中には、非常用の照明灯が備えられているものがある。しかしながら、ビルのオフィスの蛍光灯は、非常用の照明灯が一体的に設けられている。このため、非常用の照明灯を取り外して、懐中電灯として使用することができない。また、ビルのオフィスで使われている非常用の照明灯が一体化された蛍光灯は、一般に、高価であり、また、メインテナンスがやり難しい。
【０００６】
　本考案は、上述の課題を鑑み、夜間、停電が発生しても、懐中電灯を探すことなく、必要な明かりが確保できると共に、日常生活の邪魔になったり、美観を損ねたりすることがなく、また、非常用の照明灯を取り外して懐中電灯として使用することができると共に、メインテナンスが簡単な非常灯取付コネクタ付き蛍光灯を提供することを目的とする。
【課題を解決するための手段】
【０００７】
　かかる課題を解決するために、本考案の蛍光灯は、商用電源により点灯される蛍光管と、蛍光管を点灯させる点灯回路と、停電の発生を検出し、停電が発生したときに非常用の照明灯を点灯させる非常灯ユニットが着脱自在に装着される非常灯取付コネクタとを備えるようにしたことを特徴とする。
【０００８】
　本考案の蛍光灯において、好ましくは、点灯回路は、安定器により蛍光管を点灯させるようにしたことを特徴とする。また、点灯回路は、インバータ型の点灯器により蛍光管を点灯させるようにしたことを特徴とする。
【０００９】
　本考案の非常灯は、バッテリと、バッテリにより点灯される非常用の照明と、蛍光灯の非常灯取付コネクタに接続されるプラグと、非常灯取付コネクタからプラグを介して入力される商用電源から停電の発生を検出する手段と、停電の発生が検出されたときに非常用の照明を点灯させる手段とを有するようにしたことを特徴とする。
【考案の効果】
【００１０】
　本考案の蛍光灯では、商用電源により点灯される蛍光管と、蛍光管を点灯させる点灯回路と、停電の発生を検出し、停電が発生したときに非常用の照明を点灯させる非常灯ユニットが着脱自在に装着される非常灯取付コネクタとが備えられる。このように、本考案の蛍光灯では、非常灯ユニットが蛍光灯に取り付けられている。通常、蛍光灯は、部屋の真ん中に、天井から吊り下げられている。この位置は、部屋全体を最も効率的に照らせる位置である。したがって、非常灯ユニットが蛍光灯の内部に取り付けられていると、停電発生時にも、部屋全体を効率的に照らすことができる。
【００１１】
　また、本考案の蛍光灯では、非常灯ユニットが蛍光灯に取り付けられるため、不使用時に非常灯ユニットの置き場に困らない。また、非常灯ユニットにより、部屋の美的が損なわれることがない。
【００１２】
　また、本考案の蛍光灯では、非常灯ユニットは蛍光灯に着脱自在のため、非常灯ユニットを蛍光灯から外せば、懐中電灯として利用することができる。また、非常灯ユニットを蛍光灯から外せば、バッテリチェックや電球の交換が簡単に行える。
【００１３】
　また、本考案の蛍光灯において、非常灯ユニットは、バッテリと、バッテリにより点灯される非常用の照明灯と、蛍光灯の非常灯取付コネクタに接続されるプラグと、非常灯取付コネクタからプラグを介して入力される商用電源を検出する手段と、商用電源が検出されるときに非常用の照明灯を消灯させ、商用電源が検出されないときに非常用の照明灯を点灯させる手段とを有する。これにより、停電が発生したときに、非常用の照明灯が点灯し、停電時の明かりを確保できる。
【考案を実施するための最良の形態】
【００１４】
第１の実施の形態．
　以下、本考案の実施の形態について図面を参照しながら説明する。図１（Ａ）および図１（Ｂ）は、本考案の第１の実施の形態を示すものである。図１（Ａ）および図１（Ｂ）において、１は点灯回路ユニット、２は蛍光管、３はカバーである。
【００１５】
　点灯回路ユニット１は、たとえば円柱状の金属製のケースで覆われている。点灯回路ユニット１には、蛍光管２を点灯させるための回路部品が納められている。点灯回路ユニット１の上面からは、図１（Ａ）に示すように、電源ケーブル５が導出される。この電源ケーブル５の先端のプラグ６が天井に設置されたローゼット７に装着される。ローゼット７から、プラグ６、電源ケーブル５を介して、商用電源が供給される。
【００１６】
　点灯回路ユニット１の底面には、図１（Ｂ）に示すように、フック１１ａ、１１ｂ、１１ｃが設けられる。フック１１ａ、１１ｂ、１１ｃは、たとえば、弾性力の強い金属板を蛍光管２の外周に対応した形状に丸めて成形される。蛍光管２としては、円環状の蛍光管が使用される。蛍光管２は、フック１１ａ、１１ｂ、１１ｃにより、点灯回路ユニット１の底面に固定される。点灯回路ユニット１の底面からは、ケーブル１２が導出され、このケーブル１２の先端のプラグ１９が蛍光管２の端子に装着され、点灯回路ユニット１と蛍光管２とが電気的に接続される。
【００１７】
　また、点灯回路ユニット１の底面には、グローランプ１３が取り付けられる。また、点灯回路ユニット１には、紐１５ａを有するスイッチ１５が取り付けられる。スイッチ１５の紐１５ａ引くことで、蛍光管２を点灯させたり、消灯させたりすることができる。
【００１８】
　さらに、本発明が適用された蛍光灯においては、点灯回路ユニット１に、非常灯取付コネクタ１６が設けられる。この非常灯取付コネクタ１６の端子１６ａ、１６ｂからは、ローゼット７から、プラグ６、電源ケーブル５を介された商用電源が直接出力されている。非常灯取付コネクタ１６には、非常灯ユニット２０が着脱自在に取り付けられる。非常灯ユニット２０は、停電の発生を検出し、停電が発生すると非常灯を点灯させる。
【００１９】
　蛍光灯１０全体は、例えば、正方形のカバー３により覆われる。カバー３の上面には、開口１７が形成される。この開口１７と蛍光灯ユニット１の外周とが係合され、蛍光灯１０にカバー３が固定される。
【００２０】
　図２（Ａ）および図２（Ｂ）は非常灯ユニット２０の上面および底面を示すものである。図２（Ａ）に示すように、非常灯ユニット２０の上面には、電球２１が備えられる。電球２１は、非常用の照明灯となる。また、図２（Ｂ）に示すように、非常灯ユニット２０の底面には、プラグ２３が設けられる。
【００２１】
　図３はこの非常灯取付コネクタ１６を示す図である。図３において、非常灯取付コネクタ１６は、端子１６ａ、１６ｂおよびそれらを取り付ける取付け台１６ｃから構成される。この取付け台１６ｃは長方形の形状をしているが、端子１６ａ、１６ｂを取り付けることができれば、どのような形状でもよい。なお、非常灯取付コネクタ１６は点灯回路ユニット１の底面に取り付けるように描いてあるが、点灯回路ユニット１の内面に取り付けて、端子１６ａ、１６ｂのみを点灯回路ユニット１の底面に露出させてもよい。
【００２２】
　上記のプラグ２３の端子２３ａ、２３ｂが非常灯取付コネクタ１６の端子１６ａ、１６ｂに挿入される。なお、非常灯取付コネクタ１６のプラグ２３は、家庭用のコンセントのプラグと同様な形状とすれば、家庭用のコンセントに差し込んで使用することもできる。
【００２３】
　このように、この実施の形態では、蛍光灯１０の点灯回路ユニット１の底面に、非常灯取付コネクタ１６が設けられる。この非常灯取付コネクタ１６には、非常灯ユニット２０が着脱自在に取り付けられる。このように、非常灯ユニット２０を点灯回路ユニット１の底面に取り付けておくと、停電が発生し、蛍光管２が消灯したときにも、非常灯ユニット２０の電球２１が点灯するので、部屋の大部分において明かりを確保できる。
【００２４】
　すなわち、図４（Ａ）に示すように、蛍光管２が点灯しているときに、停電が発生すると、蛍光管２が消灯し、明かりが確保できなくなる。停電が発生すると、図４（Ｂ）に示すように、非常灯ユニット２０の電球２１が点灯する。このように、停電が発生したときには、非常灯ユニット２０が点灯するため、この非常灯ユニット２０の照明により、夜間、停電が発生したときにも、ある程度の明かりが確保できる。
【００２５】
　図５は、蛍光灯１０および非常灯ユニット２０の回路構成の一例を示すものである。図５に示すように、蛍光灯１０は、蛍光管２と、安定器３１と、グローランプ１３と、グローランプ１３の両端のコンデンサ３２と、スイッチ１５とを有している。
【００２６】
　プラグ６はローゼット７に接続されており、電源ケーブル５ａ、５ｂを介して、蛍光灯１０に商用電源が供給される。また、電源ケーブル５ａ、５ｂから、ケーブル３３ａ、３３ｂが分岐されており、このケーブル３３ａ、３３ｂに、非常灯取付コネクタ１６の端子１６ａ、１６ｂが接続される。
【００２７】
　非常灯ユニット２０は、電圧検出回路４１と、コンパレータ４２と、スイッチ制御回路４３と、スイッチ回路４４と、電球２１と、バッテリ４５とを有している。プラグ２３は非常灯取付コネクタ１６に挿入され、非常灯取付コネクタ１６の端子１６ａおよび１６ｂと、プラグ２３の端子２３ａおよび２３ｂとが接続される。
【００２８】
　蛍光灯１０の蛍光管２を点灯させるときには、スイッチ１５がオンされる。スイッチ１５がオンされると、商用電源３０から、ローゼット７、プラグ６、電源ケーブル５ａ、５ｂ、グローランプ１３、安定器３１、スイッチ１５を通じて、蛍光管２のフィラメント３４ａ、３４ｂに電流が流れる。これにより、蛍光管２のフィラメント３４ａ、３４ｂの周辺が加熱され、フィラメント３４ａ、３４ｂから電子が放出される。グローランプ１３に電流を流し続けると、グローランプ１３の内部の温度が上昇し、グローランプ１３がオフする。グローランプ１３がオフすると、安定器３１の両端に高圧が発生し、この高圧が蛍光管２の電極に印加され、蛍光管２の放電が開始され、蛍光管２が点灯する。
【００２９】
　非常灯ユニット２０は、非常灯取付コネクタ１６の端子１６ａ、１６ｂにおける電圧を監視することで停電の発生を検出し、停電が発生すると、電球２１を点灯させるように構成される。
【００３０】
　すなわち、商用電源３０は、ローゼット７から、プラグ６、電源ケーブル５ａ、５ｂ、ケーブル３３ａ、３３ｂを介して、非常灯取付コネクタ１６の端子１６ａ、１６ｂに供給される。この商用電源は、プラグ２３の端子２３ａ、２３ｂ、ケーブル４６ａ、４６ｂを介して、電圧検出回路４１で検出される。電圧検出回路４１の検出電圧は、コンパレータ４２に供給され、コンパレータ４２で、この検出電圧が基準電圧源４６からの所定電圧と比較される。コンパレータ４２の出力がスイッチ制御回路４３に供給される。スイッチ制御回路４３からは、コンパレータ４２の出力に応じて、スイッチ制御信号が発生される。
【００３１】
　停電が発生していないときには、電圧検出回路４１の入力電圧が所定電圧より高くなる。このときには、スイッチ制御回路４３からは、スイッチオフの制御信号が出力される。このスイッチオフの制御信号がスイッチ制御回路４３からスイッチ回路４４に供給され、これにより、スイッチ回路４４がオフされる。スイッチ回路４４がオフのときには、バッテリ４５からの電流は、スイッチ回路４４により遮断され、電球２１は消灯している。
【００３２】
　停電が発生すると、電圧検出回路４１の入力電圧が所定電圧より低くなる。このときには、スイッチ制御回路４３からは、スイッチオンの制御信号が出力され、スイッチ回路４４がオンする。スイッチ回路４４がオンすると、バッテリ４５からの電流は、スイッチ回路４４を通じて、電球２１に供給され、電球２１が点灯する。
【００３３】
　以上のように、本考案の実施の形態では、停電が発生すると点灯する非常灯ユニット２０が蛍光灯１０に着脱自在に取り付けられている。これにより、以下のような利点がある。
【００３４】
　まず、図１に示したように、非常灯ユニット２０は、通常の状態では蛍光灯１０の中に取り付けられている。通常、蛍光灯１０は、部屋の真ん中に、天井から吊り下げられている。この位置は、部屋全体を最も効率的に照らせる位置である。したがって、非常灯ユニット２０が蛍光灯１０の中に取り付けられていると、停電発生時にも、部屋全体を効率的に照らすことができる。
【００３５】
　また、この実施の形態では、非常灯ユニット２０が蛍光灯１０に取り付けられる。このように、非常灯ユニット２０は、蛍光灯１０に取り付けられているので、不使用時に非常灯ユニット２０の置き場に困らない。また、非常灯ユニット２０が蛍光灯１０の中に納められているので、美観を損ねることはない。
【００３６】
　また、非常灯ユニット２０は、蛍光灯１０に着脱自在である。このため、停電時に、非常灯ユニット２０を蛍光灯１０から外せば、懐中電灯として利用することができる。また、非常灯ユニット２０を蛍光灯１０から外せば、バッテリチェックや電球の交換が簡単に行える。
【００３７】
　また、図６に示すように、部屋の壁５０に照明用のスイッチ１８がある場合には、非常灯ユニット２０が正しく動作しているかどうかを簡単に検査することができる。すなわち、部屋の壁の照明用のスイッチ１８をオフすれば、ローゼット７から出力される商用電源３０の供給を止めることができ、停電時と同じ状態を作り出せる。したがって、部屋の壁の照明用のスイッチ１８をオフしたときに、非常灯ユニット２０の電球２１が点灯するかどうかにより、非常灯ユニット２０が正しく動作しているかどうかを検査できる。通常の使用時には、部屋の壁の照明用のスイッチ１８をオンしておき、スイッチ１５により蛍光管２の点灯や消灯を行うようにすればよい。
【００３８】
第２の実施の形態．
　図７は、本発明の第２の実施の形態を示すものである。前述の第１の実施の形態では、蛍光管の点灯方式としては、安定器３１を用いるが、この第２の実施の形態では、インバータ型の点灯回路を用いている。
【００３９】
　図７において、プラグ６はローゼット７に接続されており、電源ケーブル５ａ、５ｂを介して、インバータ型点灯回路５１に商用電源３０が供給される。また、電源ケーブル５ａ、５ｂから、ケーブル３３ａ、３３ｂが分岐されており、このケーブル３３ａ、３３ｂに、非常灯取付コネクタ１６の端子１６ａ、１６ｂが接続される。インバータ型点灯回路５１は、商用電源３０を整流し、高周波でスイッチングして、蛍光管２を放電させるものである。また、インバータ型点灯回路５１を使うと、蛍光灯の光量を制御することができる。
【００４０】
　インバータ型点灯回路５１に対して、蛍光管２の点灯や消灯、蛍光灯の光量を制御するための制御回路５２が設けられる。ユーザがリモートコントローラ５４を操作すると、リモートコントローラ５４から赤外線信号が出力される。この赤外線信号が受光部５３を介して、制御回路５２に供給される。これにより、リモートコントローラ５４を使って、蛍光管２の点灯や消灯、蛍光灯の光量等をユーザが遠隔操作することができる。
【００４１】
　非常灯ユニット２０は、前述の第１の実施の形態と同様に、電圧検出回路４１と、コンパレータ４２と、スイッチ制御回路４３と、スイッチ回路４４と、電球２１と、バッテリ４５とから構成される。プラグ２３は非常灯取付コネクタ１６に装着され、非常灯取付コネクタ１６の端子１６ａおよび１６ｂと、プラグ２３の端子２３ａおよび２３ｂとが接続される。
【００４２】
　この第２の実施の形態においても、非常灯ユニット２０が蛍光灯１０内に着脱自在に装着され、前述の第１の実施の形態と同様に、停電が発生し、商用電源３０の電圧が所定電圧より低くなると、スイッチ制御回路４３からは、スイッチオンの制御信号が出力され、スイッチ回路４４がオンする。スイッチ回路４４がオンすると、バッテリ４５からの電流は、スイッチ回路４４を通じて、電球２１に供給され、電球２１が点灯する。このため、停電が発生し、蛍光管２が消灯したときにも、非常灯ユニット２０の電球２１により、ある程度の明かりが確保できる。
【００４３】
　また、図６で示した第１の実施の形態の場合と同様に、部屋の壁に照明用のスイッチがある場合には、部屋の壁の照明用のスイッチをオフすれば、ローゼット７から出力される商用電源を止めることができ、停電時と同じ状態を作り出せる。したがって、部屋の壁の照明用のスイッチをオフしたときに、非常灯ユニット２０の電球２１が点灯するかどうかにより、非常灯ユニット２０が正しく動作しているかどうかを検査できる。通常の使用時には、部屋の壁の照明用のスイッチをオンしておき、蛍光管２の点灯や消灯、点灯光量を制御をリモートコントローラ５４で行うようにすればよい。
【００４４】
　本考案は、上述の実施の形態に限定されるものではなく、上記実施の形態を適宜、組み合わせてもよい。また、本考案は、上述した実施の形態に限定されるものではなく、この考案の要旨を逸脱しない範囲内で様々な変形や応用が可能である。たとえば、上述の実施の形態では、蛍光管２として円環状のものを用いたが、直線状の蛍光管を用いてもよい。また、上述の実施の形態では、非常灯ユニット２０の照明を電球２１としているが、バッテリで点灯する蛍光灯を用いてもよい。
【図面の簡単な説明】
【００４５】
【図１】本考案の第１の実施の形態の蛍光灯の断面図及び底面図である。
【図２】本考案の第１の実施の形態における非常灯ユニットの上面図及び底面図である。
【図３】本考案の第１の実施の形態における非常灯取付けコネクタの斜視図である。
【図４】本考案の第１の実施の形態の蛍光灯の停電時の動作を説明するための断面図である。
【図５】本考案の第１の実施の形態における非常灯取付コネクタ付き蛍光灯ユニットの回路構成を示す図である。
【図６】本考案の第１の実施の形態における非常灯ユニットの動作試験の説明に用いる図である。
【図７】本考案の第２の実施の形態の蛍光灯の回路構成を示す図である。
【符号の説明】
【００４６】
１…点灯回路ユニット、２…蛍光管、１０…蛍光灯、１３…グローランプ、１６…非常灯取付コネクタ、２０…非常灯ユニット、２１…電球、２３…プラグ、４１…電圧検出回路、４２…コンパレータ、４３…スイッチ制御回路、４４…スイッチ回路、４５…バッテリ、５１…インバータ型点灯回路、５２…制御回路、５３…受光部
【図１】
0003099667.tif 000003
【図２】
0003099667.tif 000004
【図３】
0003099667.tif 000005
【図４】
0003099667.tif 000006
【図５】
0003099667.tif 000007
【図６】
0003099667.tif 000008
【図７】
0003099667.tif 000009